(57)【要約】【課題】工程管理に必要な細かな作業（アクティビティ）の提案から決済までを的確に検討、評価ができるアクティビティコントロールシステムを提供するものである。【解決手段】工程管理における作業内容の検討情報を管理するための作業情報管理システム（アクティビティコントロールシステム）において、作業の提案を受け付け、該提案情報を関係者全員に開示し、記憶するための作業提案情報処理手段と、承認者の承認情報を受け付け、記憶するための承認情報処理手段と、承認情報を関係者に開示し、該承認情報に対する関係者からの検討情報を受け付け、記憶するための検討情報処理手段と、承認情報と関係者検討情報を照査者に開示し、照査者の照査情報を受け付け、記憶するための照査情報処理手段と、照査情報を承認者に開示し、承認者の決済情報を関係者に開示し、記憶するための決済情報処理手段とを備えることを特徴とするものである。【選択図】  図２
2009116564.tif 000002
【特許請求の範囲】
【請求項１】
工程管理における作業内容の検討情報を管理するための作業情報管理システム（アクティビティコントロールシステム）において、
単位作業の提案を受け付け、該提案情報をプロジェクト登録者全員に開示し、記憶するための作業提案情報処理手段と、
承認者の承認情報を受け付け、記憶するための承認情報処理手段と、
承認情報をプロジェクト登録者全員に開示し、該承認情報に対するプロジェクト登録者からの検討情報を受け付け、記憶するための検討情報処理手段と、
承認情報とプロジェクト登録者検討情報を照査者に開示し、照査者の照査情報を受け付け、記憶するための照査情報処理手段と、
照査情報を承認者に開示し、承認者の決済情報をプロジェクト登録者全員に開示し、記憶するための決済情報処理手段と
を備えることを特徴とするアクティビティコントロールシステム。
【請求項２】
前記の作業提案情報処理手段は、作業提案情報を受け付けるための受付手段と、
受け付けた作業提案情報をプロジェクト登録者全員に開示するための表示手段と、
該作業提案情報を記憶するための提案情報記憶手段と
からなることを特徴とする請求項１に記載のアクティビティコントロールシステム。
【請求項３】
前記の承認情報処理手段は、前記の作業提案情報をプロジェクト登録者全員に開示するための表示手段と、
該承認者の検討結果情報を承認情報として受け付けるための受付手段と、
該承認情報を記憶するための承認情報記憶手段と
からなることを特徴とする請求項１又は請求項２に記載のアクティビティコントロールシステム。
【請求項４】
前記の検討情報処理手段は、前記の承認情報をプロジェクト登録者全員に開示するための表示手段と、
プロジェクト登録者からの検討情報を受け付けるための受付手段と、
該プロジェクト登録者検討情報を記憶するための検討情報記憶手段と
からなることを特徴とする請求項１から請求項３までのいずれかの項に記載のアクティビティコントロールシステム。
【請求項５】
前記の照査情報処理手段は、前記の検討情報を照査者に開示するための表示手段と、
該照査者の検討結果情報を照査情報として受け付けるための受付手段と、
該照査情報を記憶するための照査情報記憶手段と
からなることを特徴とする請求項１から請求項４までのいずれかの項に記載のアクティビティコントロールシステム。
【請求項６】
前記の決済情報処理手段は、前記の照査情報を承認者に開示するための表示手段と、
該承認者の決済情報を受け付けるための受付手段と、
該決済情報をプロジェクト登録者全員に開示するための表示手段と、
該決済情報を記憶するための決済情報記憶手段と
からなることを特徴とする請求項１から請求項５までのいずれかの項に記載のアクティビティコントロールシステム。
【請求項７】
前記の承認者による承認がえられなかった非承認情報、
及び照査者により照査されなかった非照査情報、
及び照査後、承認者によって決済されなかった非決済情報
をプロジェクト登録者全員に開示するための表示手段が設けられていることを特徴とする請求項１から請求項６までのいずれかの項に記載のアクティビティコントロールシステム。
【請求項８】
前記の承認者による承認作業が終了していない未承認情報、
及び照査者による照査作業が終了していない未照査情報、
及び照査後の承認者による決済作業が終了していない未決済情報
をプロジェクト登録者全員に開示するための表示手段が設けられていることを特徴とする請求項１から請求項７までのいずれかの項に記載のアクティビティコントロールシステム。
【請求項９】
各担当者の識別情報を認識し、各プロジェクトにおける当該担当者が関係する情報のみを抽出し、表示することを特徴とする請求項１から請求項８までのいずれかの項に記載のアクティビティコントロールシステム。
【請求項１０】
作業提案がなされており、その作業の完了予定日が過ぎており、かつ、照査申請が為されていない単位作業を抽出し、その一覧を表示するための表示手段が設けられていることを特徴とする請求項１から請求項９までのいずれかの項に記載のアクティビティコントロールシステム。
【発明の詳細な説明】
【技術分野】
【０００１】
本発明は、建築・土木工事などのプロジェクト工程管理における各作業（アクティビティ）の提案から決済までを詳細に管理することを可能とするアクティビティコントロールシステムに関する。
【背景技術】
【０００２】
従来より、建築工事などを効率よく、かつ円滑に進めるための工程管理手法として代表的な手法に、「ＰＥＲＴ」や「ＣＰＭ」等がある。
【０００３】
また、これらの手法を基に、コンピュータによるネットワーク手法で工程管理する方法などもある。
【０００４】
これは、建築工事の内容及び手順を正しく捉え、工程管理の対象となる単位作業（工事の工程を分割してできる工事活動の単位、アクティビティと呼ばれる。）に分割し、単位作業の順序関係及び単位作業に用いる資源により、工程ネットワーク図、バーチャート、労務山積み図等を作成するものである。ネットワーク手法は、クリティカルパスメソッド、ＣＰＭとも呼ばれている。
【０００５】
このようなネットワーク手法では、単位作業（アクティビティ）の順序関係を明確に定義するので、各単位作業の開始時問・終了時問データを付与することにより、全体工期を決める作業経路(クリティカルパス）の提示や、各単位作業の開始時問・終了時問について全体工期に影響しない時問変更範囲の計算を可能とするものである。
【０００６】
しかし、実際の建築物の建築工事においては非常に複雑であり、工程モデルだけでは各単位作業の施工方法や順序が適正であるか否かを容易に判断できない場合がある。
【０００７】
特開２００６−２０１９７９号公報では、作成した工程モデルが実際の施工現場に適用できるか否かについて、各単位作業が物理的に相互干渉しないで実施できるか否かといった空問干渉判定や、建方途中における鉄骨の自立安定性等といった強度判定をすることができる建築物の施工計画支援プログラムを開示している。
【特許文献１】特開２００６−２０１９７９号公報
【発明の開示】
【発明が解決しようとする課題】
【０００８】
上記のようなＰＥＲＴやＣＰＭなどを用いたネットワーク手法においては、各単位作業の開始・終了時間と工数、コストなどを入力することで、各単位作業の順序関係を明らかにし、効率的な作業計画、資金計画を立案することを目的とするものであり、現場での実際の作業内容について検討し、その作業内容が適切であるかどうか、留意点や改善点などを検討することを目的とするものではない。
【０００９】
また、特開２００６−２０１９７９では、各単位作業の先行作業と後行作業とを時間と取付け位置関係について比較検討し、空間的及び時間的な作業可能性を判断するというものであり、ネットワーク手法が時間的な可能性のみを判断するのに対して、空間的な判断も可能とするものである。
【００１０】
しかしながら、この空間的な作業可能性の判断は、空間干渉や強度を数値演算や理論演算により判断するものであり、実際の作業内容の留意点や改良点について検討できるものではない。
【００１１】
実際の作業においては、計画された単位作業をそのまま実行することが困難な状況となることも少なくない。そのような場合には現場での判断で対処することになる。この場合には、設計・施工関係者の意見及び過去の経験や関連工事の情報を総合的に判断して処理することが望ましいのであるが、現実には、作業開始段階で現場の作業関係者が判断して処理することになり、後行作業の段階で発覚し、作業をやり直すことにもなりかねない。
【００１２】
各単位作業の内容について、事前に工事関係者全員の意見を集約して、その作業内容を十分に検討して単位作業を実施できるシステムが求められている。
【００１３】
本発明の上記のような点に鑑みてなされたものであり、工程管理に必要な単位作業（アクティビティ）の提案から決済までを的確に検討、評価ができるアクティビティコントロールシステムを提供するものである。
【課題を解決するための手段】
【００１４】
本発明は上記の問題を解決するために、
工程管理における作業内容の検討情報を管理するための作業情報管理システム（アクティビティコントロールシステム）において、
単位作業の提案を受け付け、該提案情報をプロジェクト登録者全員に開示し、記憶するための作業提案情報処理手段と、
承認者の承認情報を受け付け、記憶するための承認情報処理手段と、
承認情報をプロジェクト登録者全員に開示し、該承認情報に対するプロジェクト登録者からの検討情報を受け付け、記憶するための検討情報処理手段と、
承認情報とプロジェクト登録者検討情報を照査者に開示し、照査者の照査情報を受け付け、記憶するための照査情報処理手段と、
照査情報を承認者に開示し、承認者の決済情報をプロジェクト登録者全員に開示し、記憶するための決済情報処理手段と
を備えることを特徴とするものである。
【００１５】
本発明では、各単位作業について、以下の一連の要素からなるアクティビティ構成要素として定義する(図１参照）。各要素は文書と図からなる。
１）提案：新たな作業の提案を示す。
２）承認：提案された作業の実施の承認を示す。
３）検討：承認された作業に対するプロジェクト登録者全員による検討を示す。
４）照査：各検討結果の照査を示す。
５）決済：実施の最終決定を示す。
【００１６】
図２に示すアクティビティ構成要素は、ＰＥＲＴ手法（図１参照）での単位作業（例えば図中Ａ）に該当する。ＰＥＲＴ手法においては、単位作業間の順序関係を表すことはできるが、単位作業の内容をさらに細かく要素分解して表現することは考慮されていない。
【００１７】
本発明では、従来、まったく考慮されていなかった、作業内容について、単位作業をアクティビティ構成要素からなるものと定義して、さらに要素分解して、単位作業内容を検討、評価できるようにしたことを特徴とするものである。
【００１８】
該提案情報は、プロジェクト登録者全員から自由に提案される、具体的な単位作業の提案情報である。図面と文書で構成される。
【００１９】
該承認情報は、前記の提案情報に対して、承認者が提案作業についてその単位作業の実施を承認することを示す、文書と図面などからなる承認情報であり、承認者のコメントなどを付加することができるものである。また、担当者、慣性予定日などを決定する。
【００２０】
該検討情報は、前記の承認情報に対する意見、コメントなどのプロジェクト登録者全員からの検討情報であり、文書と図面などで構成される。
【００２１】
該照査情報は、担当者から照査申請された検討情報に対して、照査者が照査し、実施を承認することを示す文書と図面などからなる照査情報であり、照査者の照査コメントなどを付加することができる。
【００２２】
該決済情報は、照査者からの申請による照査情報に対して、承認者が作業実施の最終決定を決済することを示す文書と図面などからなる決済情報であり、承認者の決済コメントなどを付加することができる。
【００２３】
また、本発明では、前記の作業提案情報処理手段において、
作業提案情報を受け付けるための受付手段と、
受け付けた作業提案情報を開示するための表示手段と、
該作業提案情報を記憶するための提案情報記憶手段と
からなることを特徴とするものである。
【００２４】
該受付手段は、プロジェクト登録者からの入力を受け付ける情報受付手段であり、提案者情報と提案内容、添付資料などから構成される提案情報をキーボードなどの入力手段から受け付ける。提案情報ウインドウを表示して、入力させるようにしても良い。
【００２５】
該表示手段は、前記の提案情報をモニターなどの表示手段に表示させるものである。
【００２６】
該記憶手段は、コンピューターの記憶装置などに前記の提案情報を記憶するものである。
【００２７】
また、本発明では、前記の承認情報処理手段において、
前記の作業提案情報をプロジェクト登録者全員に開示するための表示手段と、
該承認者の検討結果情報を承認情報として受け付けるための受付手段と、
該承認情報を記憶するための承認情報記憶手段と
からなることを特徴とするものである。
【００２８】
該表示手段は、作業提案情報をプロジェクト登録者に開示するものであり、アクセス権を設定する。
【００２９】
該検討結果情報は、承認者が作業提案情報を検討した結果、作業の実施を承認した場合に、その承認の文書と検討によるコメント情報などからなる承認情報である。
【００３０】
また、本発明では、前記の検討情報処理手段において、
前記の承認情報に該当するプロジェクト登録者に開示するための表示手段と、
該プロジェクト登録者の検討情報を受け付けるための受付手段と、
該プロジェクト登録者検討情報を記憶するための検討情報記憶手段と
からなることを特徴とするものである。
【００３１】
該表示手段は、承認情報をプロジェクト登録者に開示するものであり、アクセス権を設定する。
【００３２】
また、本発明では、前記の照査情報処理手段において、
前記の検討情報を照査者に開示するための表示手段と、
該照査者の検討結果情報を照査情報として受け付けるための受付手段と、
該照査情報を記憶するための照査情報記憶手段と
からなることを特徴とするものである。
【００３３】
該表示手段は、検討情報を照査者にのみ開示するものであり、アクセス権を設定する。
【００３４】
該照査情報は、担当者による照査申請により、照査者が検討情報を照査した結果、作業実施の承認した場合に、その照査を示す文書と照査コメント情報などからなる照査情報である。
【００３５】
また、本発明では、前記の決済情報処理手段として、
照査者からの申請による照査情報を承認者に開示するための表示手段と、
該承認者の決済情報を受け付けるための受付手段と、
該決済情報を該当するプロジェクト登録者に開示するための表示手段と、
該決済情報を記憶するための決済情報記憶手段と
からなることを特徴とするものである。
【００３６】
該表示手段は、照査情報を承認者にのみ開示するものであり、アクセス権を設定する。
【００３７】
該決済情報は、承認者が照査情報を検討した結果、単位作業実施の最終決定をした場合に、その決済を示す文書と決済コメント情報などからなる決済情報である。
【００３８】
また、本発明では、前記の承認者による承認がえられなかった非承認情報、
及び照査者により照査されなかった非照査情報、
及び照査後、承認者によって決済されなかった非決済情報
を該当するプロジェクト登録者に開示するための表示手段が設けられていることを特徴とするものである。
【００３９】
該非承認情報、非照査情報、非決済情報は、プロジェクト登録者にのみ開示するものであり、アクセス権を設定する。また、これらの却下された情報を検討、修正して、再度提案情報として提案することができるものである。
【００４０】
また、本発明では、前記の承認者による承認作業が終了していない未承認情報、
及び照査者による照査作業が終了していない未照査情報、
及び照査後の承認者による決済作業が終了していない未決済情報
を該当するプロジェクト登録者に開示するための表示手段が設けられていることを特徴とするものである。
【００４１】
該未承認情報、未照査情報、未決済情報は、プロジェクト登録者にのみ開示するものであり、アクセス権を設定する。また、これらの未処理の情報を検討、修正して、再度提案情報として提案することができるものである。
また、本発明では、各担当者の識別情報を認識し、各プロジェクトにおける当該担当者が関係する情報のみを抽出し、表示することを特徴とするものである。
【００４２】
該識別情報は、予め設定されるコードネームやパスワードなどであり、アクセス権を設定する。複数のプロジェクトを管理することができるが、担当者が関係するプロジェクトの情報のみの抽出され表示される。担当者が関係しない不必要な情報が表示されず、必要な情報のみが表示されるので、各プロジェクト毎に関係情報にその都度アクセスして情報を収集する必要がなく、一度に関係する複数のプロジェクトに関するすべての情報を表示でき、確認が容易となる。
【００４３】
また、本発明では、作業提案がなされ、承認された作業において、その作業の完了予定日が過ぎており、かつ、照査申請が為されていない単位作業を抽出し、その一覧を表示するための表示手段が設けられていることを特徴とするものである。
【００４４】
作業提案がなされ、承認された場合には、担当者が決定されるが、この担当者が照査申請しない場合に、該当する作業を一覧表示するものである。この情報はプロジェクト登録者全員に開示され、提案された作業が確実に実施されているかどうかを確認できる。特に、プロジェクトの管理者が担当者の作業の進捗状況を把握するのに用いられる。
【発明の効果】
【００４５】
本発明は、以下のような効果を奏する。
【００４６】
１）プロジェクト登録者全員からの作業提案を収集することができる。
【００４７】
２）各作業に対して、事前にプロジェクト登録者全員の意見が集約され、それらの意見が反映された作業計画ができる。
【００４８】
３）プロジェクト登録者が遠隔地でもリアルタイムに情報を共有することができる、新しいコミュニケーションを実現できる。
【００４９】
４）十分に検討された作業を実施できるのため、現場作業者が安心して作業を実施でき、作業性を大幅に向上させることができる。
【００５０】
５）プロジェクトのトラブルが少なくなり、結果として作業工程を短縮することができる。
【００５１】
６）単位作業の提案から決済までの進行状況をプロジェクト登録者すべてがリアルタイムに把握できるので、プロジェクトに対する各登録者の緊張感が高まり、高品位な作業を実現できる。
【００５２】
７）作業内容を検討、評価できるため、工程管理が確実にかつ容易になり、信頼性の高い工事を実現できる。
【００５３】
８）各担当者に関係する情報のみを表示できるので、各プロジェクト毎に把握するのではなく、関連する情報を一度に総括的に把握することができる。
【００５４】
９）過期限情報を抽出、表示できることにより、提案された作業が的確に実施されているかどうかを参加者全員が把握できる。
【発明を実施するための最良の形態】
【００５５】
本発明の実施の形態について、図面を用いて説明する。
【００５６】
図３は本発明によるアクティビティコントロールシステムの概略フローを示す図であり、以下の通りに動作する。
【００５７】
本実施例では、建築関連工事を例としたオープンアクティビティコントロールシステム（ＯＡＣシステム）を示す。
【００５８】
尚、単位作業は、Ａｃｔｉｖｉｔｙ（ＡＣ）と称する。承認者は主任技術者、照査者は照査技術者を示す。
【００５９】
Ｓ−１）Ａｃｔｉｖｉｔｙ提案
ここでは、必要と思われるアクティビティを参加者（プロジェクト登録者）全員が自由に提案することができる。
【００６０】
Ｓ−２）主任技術者（承認者）承認
Ａｃｔｉｖｉｔｙ提案に対して主任技術者は、実施の承認を行う。非承認の場合には、非承認Ａｃｔｉｖｉｔｙとなる。この非承認Ａｃｔｉｖｉｔｙは主任技術者の判断で復活させることができる。また、主任技術者により、作業担当者、完成予定日などが決定され、記録される。
【００６１】
Ｓ−３）工事関係者Ａｃｔｉｖｉｔｙ検討
主任技術者が承認したＡｃｔｉｖｉｔｙに関して参加者全員が自由に意見を述べたり、参考資料を提示することができる。
【００６２】
Ｓ−４）担当者照査申請
主任技術者から選任された作業担当者は、照査技術者に対して照査を申請する。
【００６３】
Ｓ−５）照査技術者照査
照査技術者はＡＣ検討結果を照査し、承認する場合には決済を主任技術者に求める。内容に不備があった場合は、Ｓ−３）の工事関係者Ａｃｔｉｖｉｔｙ検討に差し戻す。このときには、照査者のコメントを記載する。
【００６４】
Ｓ−６）主任技術者決済
主任技術者が最終的な決済を行う。決済したＡＣは、資料庫に登録する。不備があった場合には、Ｓ−３）の工事関係者Ａｃｔｉｖｉｔｙ検討に差し戻す。このときに主任技術者のコメントを記載する。
【００６５】
主任技術者は、各工事毎の会員管理・資料訂正・削除管理を行う。但し、資料訂正・削除は照査技術者でも可能である。
【００６６】
主任技術者が決済したＡｃｔｉｖｉｔｙに関しては、追記、訂正などの書き込みはできない。決済後Ａｃｔｉｖｉｔｙに追加、訂正事項が生じた場合には、新たにＡｃｔｉｖｉｔｙを登録する必要がある。
【００６７】
ＯＡＣのフローでは、Ａｃｔｉｖｉｔｙ提案から決済までの各段階でその進捗状況を技術内容、スケジュール両面から管理することができる。
【００６８】
次に本発明による建築関連工事を例としたオープンアクティビティコントロールシステム（ＯＡＣシステム）の動作について図面を用いて説明する。
【００６９】
図４は、本発明によるＯＡＣシステムの会員認証ページである。
【００７０】
コードネーム１とパスワード２を入力し、会員認証ボタン３を押して、スタートページである、関連工事一覧表ページ（図５）にアクセルする。会員認証ボタン３の下のボタンは、ＷＥＢ ＤＢ管理者認証ボタンであり、管理人のみがアクセスできる。管理人は会員登録・工事登録・業者登録その他システムの維持管理に必要な業務を行うことができる。
【００７１】
図５は、関連工事一覧表ページ（ＯＡＣシステムスタートページ）の画面である。
【００７２】
本例では、９件のプロジェクトが表示されている。すなわち、アクセスした会員に関連するプロジェクトが９件あることを示している。
【００７３】
最上部の登録プロジェクト一覧（関連工事一覧表）４の下段には、それぞれアクセスした会員に関連する情報として、登録プロジェクト予定一覧（関連工事予定表）５、登録プロジェクト伝言一覧（関連工事伝言一覧）６、Ａｃｔｉｖｉｔｙ進捗状況一覧（関連工事Ａｃｔｉｖｉｔｙ進捗状況一覧）７、新規資料（関連工事新規資料一覧）８が表示されている。
【００７４】
このＯＡＣシステムスタートページは、会員認証後、各会員が登録されたプロジェクト及び、それらプロジェクトに関連した新規予定、伝言、Ａｃｔｉｖｉｔｙ並びに資料の一覧が表示され、これにより、各会員は、各プロジェクト毎にアクセスせずに、自分に関連する各種プロジェクトの動向を把握することができる。
【００７５】
ここで、登録プロジェクト一覧表４の中から、工事番号の左側の「選択」ボタン９を押すと、次の各工事のプロジェクト表紙画面のページ（図６）となる。
【００７６】
図６は、選択した工事のプロジェクト表紙画面である。
【００７７】
この画面では、予定制御部１０と、プロジェクト指針部１１と、資料部１２と、予定表示部１３と、伝言部１４とが表示されている。  
【００７８】
該予定制御部１０は、プロジェクトに関連する予定の入力・出力・検索などを行う。該プロジェクト指針部１１は、主任技術者、照査技術者が毎週プロジェクトの指針を明らかにするものである。該資料部１２は、プロジェクトに関する資料のデータベースである。該予定部表示１３は、プロジェクトに関する過去１週間を含む予定が表示される。該伝言部１３は、プロジェクトに関する過去２週間を含む伝言を表示するものである。
【００７９】
ここで予定制御部１０の下部の「ＯＡＣシステム」ボタン１５を押すと、ＯＡＣシステムマスターテーブル画面(図７）となる。
【００８０】
図７は、ＯＡＣシステムマスターテーブル画面を示す。
【００８１】
この画面では、前画面と同様に左上部にコントロール部１６が配置され、上部中央にマスターテーブル部１７が配置され、右側には資料一覧表１８が表示されている。
【００８２】
本ＯＡＣシステムの基本機能は、
１）アクティビティ（作業提案）は参加者全員が提案できる。
【００８３】
２）提案アクティビティの実施を主任技術者が承認する。その際、主任技術者が承認コメントを書き込むと同時に担当者、アクティビティ完成予定日等を決定する。
【００８４】
３）却下された提案も再提案することができる。
【００８５】
４）未照査アクティビティに関しては、全員がコメントを書き込むことができる。
【００８６】
５）担当者は、当該アクティビティが要求を満たしたと判断した時点で照査申請を行う。
【００８７】
６）照査技術者は、照査申請のあったアクティビティに関して照査確認を行う。但しアクティビティが所定の要求を満たしていない場合はコメントを記入の上、差し戻すことができる。
【００８８】
７）照査技術者の照査を完了したアクティビティに対して主任技術者は決済を行う。この場合も所定の要求を満たしていないアクティビティに関してコメントを記入の上、差し戻すことができる。
【００８９】
８）決済を受けたアクティビティは決済済みフォルダに保管される。
などである。
【００９０】
また、担当者別、過期限アクティビティなどを表示することによりアクティビティの進捗状況を参加者全員が把握できる。
【００９１】
また、アクティビティ検索によりアクティビティの進捗状況、経過状況を把握できる。
【００９２】
ここでマスターテーブルの「登録済Ａｃｔｉｖｉｔｙ一覧表」ボタン１９を押すと、登録済アクティビティ一覧画面（図８）が表示される。
【００９３】
図８は、登録済アクティビティ一覧画面を示す。
【００９４】
この画面では、前画面と同様に左上部にコントロール部１６が配置され、上部中央に登録済Ａｃｔｉｖｉｔｙ一覧部２０が配置され、右側には資料一覧表１８が表示されている。
【００９５】
Ａｃｔｉｖｉｔｙを提案するには、まず、すでに登録されているＡｃｔｉｖｉｔｙを確認する必要がある。この画面で容易に確認することができる。登録済Ａｃｔｉｖｉｔｙ一覧部２０の左端の「選択」ボタン２１を押すと、添付書類を参照できる。
【００９６】
登録済Ａｃｔｉｖｉｔｙ一覧部２０の右端には「進捗状況」が表示され、各Ａｃｔｉｖｉｔｙの進捗状況を確認することができる。「未承認」、「却下」、「承認」、「作業中」、「照査申請中」、「照査済み」、「決済申請中」、「決済済み」等が表示される。
【００９７】
ここで、未承認のＡｃｔｉｖｉｔｙを確認する場合には、前画面（図７）に戻り、「未承認Ａｃｔｉｖｉｔｙ一覧表」ボタン２２を押すと、未承認Ａｃｔｉｖｉｔｙ一覧表画面(図９）が表示される。
【００９８】
図９は、未承認アクティビティ一覧表画面を示す。
【００９９】
この画面では、前画面と同様に左上部にコントロール部１６が配置され、上部中央に未承認Ａｃｔｉｖｉｔｙ一覧部２３が配置され、右側には資料一覧表１８が表示されている。
【０１００】
該未承認Ａｃｔｉｖｉｔｙ一覧部２３に、プロジェクト登録者が提案したＡｃｔｉｖｉｔｙの内、未承認、承認待ちのＡｃｔｉｖｉｔｙが表示される。本例では１件表示されている。
【０１０１】
未承認Ａｃｔｉｖｉｔｙ一覧部２３の左端の「選択」ボタン２４を押すと内容を確認できる。
【０１０２】
次に、Ａｃｔｉｖｉｔｙの入力について説明する。図７のＯＡＣシステムマスターテーブル画面の「Ａｃｔｉｖｉｔｙ入力」ボタン２５を押すと、登録済みＡｃｔｉｖｉｔｙの確認画面(図１０）が表示される。
【０１０３】
図１０は、登録済みＡｃｔｉｖｉｔｙの確認画面を示す。
【０１０４】
Ａｃｔｉｖｉｔｙを登録する前に再度登録済みＡｃｔｉｖｉｔｙを確認し、重複登録を防止する。
【０１０５】
画面中央の確認画面２６で登録状況を確認し、Ａｃｔｉｖｉｔｙを登録する場合には、「Ａｃｔｉｖｉｔｙ登録」ボタン２７を押し、Ａｃｔｉｖｉｔｙ  Ｐｒｏｐｏｓａｌ入力表画面（図１１）に進む。同様なＡｃｔｉｖｉｔｙがあった場合など登録しない場合には、「取り消し」ボタン２８を押して、図７のＯＡＣシステムマスターテーブル画面に戻る。
【０１０６】
図１１は、アクティビティの入力画面を示す。
【０１０７】
アクティビティの提案入力は、画面中央のＡｃｔｉｖｉｔｙ  Ｐｒｏｐｏｓａｌ入力表２９を用いて行う。
【０１０８】
提案月日及びＡｃｔｉｖｉｔｙ番号は、自動的に入力される。最初に、提案者の窓３０から登録されている担当者を選択し、パスワードを入力する。本例では、「ｋａｙａｍａ」となっている。
【０１０９】
次に、提案題目と提案事項を各々の記入欄３１、３２に入力する。添付図がある場合には、添付図の登録欄３３に図面名を記入してデータを読み込む。アクティビティには原則として図が添付される。
【０１１０】
アクティビティ内容の入力が完了すると、下部の「登録」ボタン３４を押してアクティビティを登録する。登録された内容は、図７のマスターテーブルの「未承認Ａｃｔｉｖｉｔｙ一覧表」ボタン２２を押して、図９の未承認アクティビティ一覧画面で確認することができる。
【０１１１】
次に登録されたＡｃｔｉｖｉｔｙに対する主任技術者の承認／却下処理について説明する。図７のマスターテーブルの「Ａｃｔｉｖｉｔｙ承認／却下」ボタン３５から、Ａｃｔｉｖｉｔｙ承認確認画面３６を開く。
【０１１２】
図１２は、主任技術者によるアクティビティの承認／却下の処理画面を示す。
【０１１３】
主任技術者は提案登録されたアクティビティを検討して承認を行い、承認コメントを書き込み、担当者、アクティビティ完成予定日等を登録する。
【０１１４】
主任技術者は、図中の中央のＡｃｔｉｖｉｔｙ承認確認表３６からＡｃｔｉｖｉｔｙを確認し、「承認」、「却下」、「保留」の選択する。
【０１１５】
「承認」ボタン３７を押すと、Ａｃｔｉｖｉｔｙ承認表画面（図１３）が表示される。
【０１１６】
図１３は、Ａｃｔｉｖｉｔｙ承認画面を示す。
【０１１７】
Ａｃｔｉｖｉｔｙを承認する場合には、この画面のアクティビティ確認表３９のから目標日と担当者を各々目標日欄４０、担当者入力欄４１に入力し、コメント欄４２にコメントを入力する。
【０１１８】
Ａｃｔｉｖｉｔｙを却下する場合には、図１２のＡｃｔｉｖｉｔｙ承認確認表３６の「却下」ボタン３８を押し、Ａｃｔｉｖｉｔｙ却下表画面（図１４）を開き、Ａｃｔｉｖｉｔｙ却下表４３のコメント欄４４に却下理由を入力し、「却下」ボタン４５を押す。
【０１１９】
却下されたＡｃｔｉｖｉｔｙは、図７のマスターテーブルの「却下Ａｃｔｉｖｉｔｙ一覧表」ボタン４６を押して、却下アクティビティ一覧画面で確認することができる。
【０１２０】
図１５は未照査Ａｃｔｉｖｉｔｙ一覧画面を示す。図７のマスターテーブルの「未照査Ａｃｔｉｖｉｔｙ一覧表」ボタン４７を押して表示させる。
【０１２１】
未照査Ａｃｔｉｖｉｔｙとは、即ち、作業中のＡｃｔｉｖｉｔｙを示し、この画面で一覧を確認できる。
【０１２２】
主任技術者により承認されたアクティビティは、画面中央の未照査アクティビティ一覧表４８に表示される。この画面はプロジェクト登録者全員が確認できる。提案されたアクティビティは「選択」ボタン４９を押すと、アクティビティ詳細画面(図１６）が表示される。
【０１２３】
図１６は、アクティビティ詳細画面を示す。
【０１２４】
この画面でアクティビティの詳細内容を確認し、コメントなどがある場合には、「ＡＣ入力」ボタン５０を押す。このコメントは登録者全員が行うことができる。
【０１２５】
このＡｃｔｉｖｉｔｙに対する他の登録者のコメントは、画面中央下部のＡＣ一覧表で確認できる。
【０１２６】
「ＡＣ入力」ボタン５０を押すと、図１７のＡｃｔｉｖｉｔｙ基本情報画面が表示され、再度Ａｃｔｉｖｉｔｙの基本情報を確認の上、「ＡＣ」ボタン５３を押して、図１８のＡＣ入力画面を開く。
【０１２７】
図１８は、提案アクティビティに対するコメント入力画面を示す。
【０１２８】
コメントの入力は、提案者名５４とパスワード５５を最初に入力し、コメント欄５６にコメントを入力する。必要に応じて図面などを添付する場合には、コメント欄５７から読み込むことができる。
【０１２９】
コメント入力が完了後、「ＡＣ登録」ボタン５８を押して登録すると、図１６のアクティビティ詳細画面の下部のＡＣ一覧表に表示される。
【０１３０】
図１６において、担当者は、上記のＡＣ一覧表５２により各ＡＣを確認し、指定されたＡｃｔｉｖｉｔｙが所期の目標を達成したと判断した後、「照査申請」ボタン５１を押して照査申請を行う。
【０１３１】
図１９は、担当者別未照査Ａｃｔｉｖｉｔｙ一覧表画面を示す。図７のマスターテーブルの「担当者別未照査Ａｃｔｉｖｉｔｙ」ボタン５９を押して表示させることができる。
【０１３２】
この画面では、担当者名６０を選択し、「検索」ボタン６１を押すと、指定した担当者に関する未照査一覧が表示される。
図２０は、過期限Ａｃｔｉｖｉｔｙ一覧表画面を示す。図７のマスターテーブルの「過期限Ａｃｔｉｖｉｔｙ」ボタン６２を押して表示させることができる。
【０１３３】
完成予定日を過ぎても照査申請が為されていないＡｃｔｉｖｉｔｙの一覧６２を表示し、「選択」ボタン６３により、その詳細を確認することができる。
【０１３４】
図２１は、照査申請済みＡｃｔｉｖｉｔｙ一覧表画面を示す。図７のマスターテーブルの「Ａｃｔｉｖｉｔｙ照査」ボタン６４を押して表示させることができる。
【０１３５】
この画面は、画面中央部に担当者から照査申請があったＡｃｔｉｖｉｔｙの一覧６５が表示され、照査技術者はこの一覧の中から照査するＡｃｔｉｖｉｔｙを「選択」ボタン６６を押して選択する。
【０１３６】
図２２は、選択された照査するＡｃｔｉｖｉｔｙの基本情報画面を示す。登録者全員からのコメント情報であるＡＣ一覧表も表示される。
【０１３７】
ここで照査技術者は、照査申請されたＡｃｔｉｖｉｔｙの照査登録・差し戻しを決定する。照査登録の場合には、下部の「照査登録」ボタン６７を押して図２３のＡｃｔｉｖｉｔｙ照査表を開き、照査コメント欄６９にコメントを入力し、「照査登録」ボタン７０を押して登録する。
【０１３８】
一方、照査申請のあったＡｃｔｉｖｉｔｙが所定の目的を満たしてしない場合には、照射技術者がコメントを添えてこれを差し戻す。
【０１３９】
図２２の「照査差戻」ボタン６８を押し、図２４のＡｃｔｉｖｉｔｙ差し戻し理由入力画面を開き、コメント欄７１にコメントを入力し、必要に応じて「参照」ボタン７２で図面を添付しする。記入が完了すると、下部の「差戻し」ボタン７３を押して登録する。
【０１４０】
図２５は、未決済Ａｃｔｉｖｉｔｙ一覧表画面を示す。図７のマスターテーブルの「Ａｃｔｉｖｉｔｙ決済」ボタン７４を押して表示させることができる。
【０１４１】
照査登録を受けたＡｃｔｉｖｉｔｙは、決済待ちＡｃｔｉｖｉｔｙとして、未決済Ａｃｔｉｖｉｔｙ一覧表７５に表示される。
【０１４２】
決済を判断するＡｃｔｉｖｉｔｙの「選択」ボタン７６を押して、図２６のＡｃｔｉｖｉｔｙ詳細画面を開き、主任技術者がＡｃｔｉｖｉｔｙの詳細を確認した上、決済・差し戻しを判断する。
【０１４３】
決済申請のあったアクティビティの内容を確認し、所定の要求を満たしている場合は、これを決済する。決済を行う場合には、「Ａｃｔｉｖｉｔｙ決済」ボタン７７を押し、決済する。
【０１４４】
決済申請のあったアクティビティを確認してそれに不備があった場合には、「決済差戻」ボタン７８を押し、図２７のＡｃｔｉｖｉｔｙ決済申請差し戻し理由入力画面を開き、コメント欄７９にコメントを入力し、必要に応じて「参照」ボタン８０によりコメント図を添付し、「差戻し」ボタン８１を押して差し戻す。差し戻されたアクティビティは、「未照査アクティビティ」となる。
【０１４５】
図２８は、決済済みＡｃｔｉｖｉｔｙ一覧表画面である。図７のマスターテーブルの「決済済みＡｃｔｉｖｉｔｙ」ボタン８２を押して表示させることができる。
【０１４６】
決済されたアクティビティは、随時この画面に表示され、参照でき、決済にいたるまでの過程を確認できる。
【０１４７】
図２９は、ＡｃｔｉｖｉｔｙのＫｅｙＷｏｒｄ検索画面である。図７のマスターテーブルの「ＫＥＹ  Ｗｏｒｄ  検索（閲覧専用）」ボタン８３を押して表示させることができる。
【０１４８】
キーワード入力欄８４にキーワードを入力し、「検索」ボタン８５を押すと、図３０に示すように、Ｋｅｙｗｏｒｄ検索結果の一覧表８６が表示される。
【０１４９】
このように本発明によれば、従来の工程管理の概念を一新し、工数やコスト管理では改善できなかった、作業内容の検討・評価を関係者全員で行うことを可能とし、作業の効率ではなく、質そのものを向上させることを可能とする管理システムが実現されるものである。
【図面の簡単な説明】
【０１５０】
【図１】従来のＰＥＲＴ手法によるネットワーク工程表を示す図である。
【図２】本発明によるアクティビティ構成要素の概念を示す図である。
【図３】本発明によるアクティビティコントロールシステムの概略フローを示す図である。
【図４】本発明によるＯＡＣシステムの会員認証ページを示す図である。
【図５】本発明による関連工事一覧表ページ（ＯＡＣシステムスタートページ）を示す図である。
【図６】本発明によるプロジェクト表紙画面を示す図である。
【図７】本発明によるＯＡＣシステムマスターテーブル画面を示す図である。
【図８】本発明による登録済アクティビティ一覧画面を示す図である。
【図９】本発明による未承認アクティビティ一覧表画面を示す図である。
【図１０】本発明による登録済みＡｃｔｉｖｉｔｙの確認画面を示す図である。
【図１１】本発明によるアクティビティの入力画面を示す図である。
【図１２】本発明によるアクティビティの承認／却下の処理画面を示す図である。
【図１３】本発明によるＡｃｔｉｖｉｔｙ承認画面を示す図である。
【図１４】本発明によるＡｃｔｉｖｉｔｙ却下表画面を示す図である。
【図１５】本発明による未照査Ａｃｔｉｖｉｔｙ一覧画面を示す図である。
【図１６】本発明によるアクティビティ詳細画面を示す図である。
【図１７】本発明によるＡｃｔｉｖｉｔｙ基本情報画面図である。
【図１８】本発明による提案アクティビティに対するコメント入力画面を示す図である。
【図１９】本発明による担当者別未照査Ａｃｔｉｖｉｔｙ一覧表画面を示す図である。
【図２０】本発明による過期限Ａｃｔｉｖｉｔｙ一覧表画面を示す図である。
【図２１】本発明による照査申請済みＡｃｔｉｖｉｔｙ一覧表画面を示す図である。
【図２２】本発明による選択された照査するＡｃｔｉｖｉｔｙの基本情報画面を示す図である。
【図２３】本発明によるＡｃｔｉｖｉｔｙ照査表を示す図である。
【図２４】本発明によるＡｃｔｉｖｉｔｙ差し戻し理由入力画面を示す図である。
【図２５】本発明による未決済Ａｃｔｉｖｉｔｙ一覧表画面を示す図である。
【図２６】本発明によるＡｃｔｉｖｉｔｙ詳細画面を示す図である。
【図２７】本発明によるＡｃｔｉｖｉｔｙ決済申請差し戻し理由入力画面を示す図である。
【図２８】本発明による決済済みＡｃｔｉｖｉｔｙ一覧表画面を示す図である。
【図２９】本発明によるＡｃｔｉｖｉｔｙのＫｅｙＷｏｒｄ検索画面を示す図である。
【図３０】本発明によるＫｅｙｗｏｒｄ検索結果の一覧表を示す図である。
【符号の説明】
【０１５１】
１  コードネーム
２  パスワード
３  会員認証ボタン
４  登録プロジェクト一覧（関連工事一覧表）
５  登録プロジェクト予定一覧（関連工事予定表）
６  登録プロジェクト伝言一覧（関連工事伝言一覧）
７  Ａｃｔｉｖｉｔｙ進捗状況一覧（関連工事Ａｃｔｉｖｉｔｙ進捗状況一覧）
８  新規資料（関連工事新規資料一覧）
９  「選択」ボタン
１０  予定制御部
１１  プロジェクト指針部
１２  資料部
１３  予定表示部
１４  伝言部
１５  「ＯＡＣシステム」ボタン
１６  コントロール部
１７  マスターテーブル部
１８  資料一覧表
１９  「登録済Ａｃｔｉｖｉｔｙ一覧表」ボタン
２０  登録済Ａｃｔｉｖｉｔｙ一覧部
２１  「選択」ボタン
２２  「未承認Ａｃｔｉｖｉｔｙ一覧表」ボタン
２３  未承認Ａｃｔｉｖｉｔｙ一覧部
２４  「選択」ボタン
２５  「Ａｃｔｉｖｉｔｙ入力」ボタン
２６  確認画面
２７  「Ａｃｔｉｖｉｔｙ登録」ボタン
２８  「取り消し」ボタン
２９  Ａｃｔｉｖｉｔｙ  Ｐｒｏｐｏｓａｌ入力表
３０  提案者の窓
３１  提案題目の記入欄
３２  提案事項の記入欄
３３  添付図の登録欄
３４  「登録」ボタン
３５  「Ａｃｔｉｖｉｔｙ承認／却下」ボタン
３６  Ａｃｔｉｖｉｔｙ承認確認画面
３７  「承認」ボタン
３８  「却下」ボタン
３９  アクティビティ確認表
４０  目標日欄
４１  担当者入力欄
４２  コメント欄
４３  Ａｃｔｉｖｉｔｙ却下表
４４  コメント欄
４５  「却下」ボタン
４６  「却下Ａｃｔｉｖｉｔｙ一覧表」ボタン
４７  「未照査Ａｃｔｉｖｉｔｙ一覧表」ボタン
４８  未照査アクティビティ一覧表
４９  「選択」ボタン
５０  「ＡＣ入力」ボタン
５１  「照査申請」ボタン
５２  ＡＣ一覧表
５３  「ＡＣ」ボタン
５４  提案者名
５５  パスワード
５６  コメント欄
５７  コメント欄
５８  「ＡＣ登録」ボタン
５９  「担当者別未照査Ａｃｔｉｖｉｔｙ」ボタン  
６０  担当者名
６１  「検索」ボタン
６２  「過期限Ａｃｔｉｖｉｔｙ」ボタン
６３  「選択」ボタン
６４  「Ａｃｔｉｖｉｔｙ照査」ボタン
６５  Ａｃｔｉｖｉｔｙの一覧
６６  「選択」ボタン
６７  「照査登録」ボタン
６８  「照査差戻」ボタン
６９  照査コメント欄
７０  「照査登録」ボタン
７１  コメント欄
７２  「参照」ボタン
７３  「差戻し」ボタン
７４  「Ａｃｔｉｖｉｔｙ決済」ボタン
７５  未決済Ａｃｔｉｖｉｔｙ一覧表
７６  「選択」ボタン
７７  「Ａｃｔｉｖｉｔｙ決済」ボタン
７８  「決済差戻」ボタン
７９  コメント欄
８０  「参照」ボタン
８１  「差戻し」ボタン
８２  「決済済みＡｃｔｉｖｉｔｙ」ボタン
８３  「ＫＥＹ  Ｗｏｒｄ  検索（閲覧専用）」ボタン
８４  キーワード入力欄
８５  「検索」
８６  Ｋｅｙｗｏｒｄ検索結果の一覧表
【図１】
2009116564.tif 000003
【図２】
2009116564.tif 000004
【図３】
2009116564.tif 000005
【図４】
2009116564.tif 000006
【図５】
2009116564.tif 000007
【図６】
2009116564.tif 000008
【図７】
2009116564.tif 000009
【図８】
2009116564.tif 000010
【図９】
2009116564.tif 000011
【図１０】
2009116564.tif 000012
【図１１】
2009116564.tif 000013
【図１２】
2009116564.tif 000014
【図１３】
2009116564.tif 000015
【図１４】
2009116564.tif 000016
【図１５】
2009116564.tif 000017
【図１６】
2009116564.tif 000018
【図１７】
2009116564.tif 000019
【図１８】
2009116564.tif 000020
【図１９】
2009116564.tif 000021
【図２０】
2009116564.tif 000022
【図２１】
2009116564.tif 000023
【図２２】
2009116564.tif 000024
【図２３】
2009116564.tif 000025
【図２４】
2009116564.tif 000026
【図２５】
2009116564.tif 000027
【図２６】
2009116564.tif 000028
【図２７】
2009116564.tif 000029
【図２８】
2009116564.tif 000030
【図２９】
2009116564.tif 000031
【図３０】
2009116564.tif 000032